(57)【要約】【課題】さまざまな既設の光源に対して適用でき虫類を捕獲できる捕虫用器具を提供する。【解決手段】捕虫用器具１０１は、天井３０２や蛍光灯器具３０１の筐体３０４等の取付対象物に固定させるための取付部１０３を備える。取付部１０３からは、複数のアーム１０４が、取付部１０３の長手方向に並んで延びる。アーム１０４の第１の端部１１２側には、取付部１０３に対向する対向面１１３を有するトレイ１０５が位置付けられる。トレイ１０５の対向面１１３には、捕虫シート１０２が配置される。取付部１０３とアーム１０４の第２の端部１１１とは、回動自在に連結される。この連結箇所には、アーム１０４を回動させる外力が所定値以下である場合にアーム１０４の回動をロックするロック部１２３が設けられる。【選択図】図１
2012016345.tif 000002
【特許請求の範囲】
【請求項１】
取付対象物に固定される長尺の取付部と、
前記取付部の長手方向に並ぶ複数のアームと、
前記取付部に対向する対向面を有し、各前記アームの第１の端部側に位置するトレイと、
前記対向面に配置された捕虫シートを保持する保持部と、
前記長手方向に直交する平面内で前記アームが回動自在となるよう、前記取付部と前記アームにおける前記第１の端部とは反対側の第２の端部とを連結する第１の連結部と、
前記第１の連結部に設けられ、前記アームを回動させる外力が所定値以下である場合に前記アームの回動をロックするロック部と、
を備える捕虫用器具。
【請求項２】
前記アームと前記トレイとは別体であり、
前記第１の連結部による第１の回動軸と平行な第２の回動軸の軸回りに前記トレイが回動自在となるよう、前記トレイと前記アームの前記第１の端部とを連結する第２の連結部を更に備え、
前記ロック部は、前記第２の連結部に設けられる、
請求項１記載の捕虫用器具。
【請求項３】
前記取付部から離反する方向に前記トレイから突出するフックを更に備える、
請求項１又は２記載の捕虫用器具。
【請求項４】
前記トレイは、前記長手方向から見たときに前記取付部から離反する方向に突出する曲面を形成する、
請求項１から３のいずれか一に記載の捕虫用器具。
【請求項５】
前記第１の連結部による前記アームの回動領域を規制する規制部を更に備える、
請求項１から４のいずれか一に記載の捕虫用器具。
【請求項６】
前記トレイには、孔部が形成される、
請求項１から５のいずれか一に記載の捕虫用器具。
【請求項７】
前記孔部は、蓋材により選択的に塞がれる、
請求項６記載の捕虫用器具。
【発明の詳細な説明】
【技術分野】
【０００１】
本発明は、天井や壁面、蛍光灯等の光源の近傍等に設置され、虫類を捕獲する捕虫用器具に関する。
【背景技術】
【０００２】
蝿、蚊、羽虫及び蛾等の虫類は、蛍光灯等の光源に集まりやすい。光源からの光を利用する者（以下、「利用者」と呼ぶことがある）は、光源やその近傍に集まった虫類を見ると、不快感を覚える。そこで、光源やその近傍に集まる虫類を捕獲するために、天井や壁面、光源の近傍等に捕虫用器具を設置して虫類を捕捉することが行われている。ここで、厨房、工場のバックヤード、美術館、スーパーマーケット等に捕虫用器具を設置する場合、どこに設置すれば効率的に虫類を除去できるかという点のみならず、その器具をどこに設置するか、器具を視認したときに利用者がどのような印象を受けるのか、という点も重要となる。これは、虫類が付着したまま何日も放置される捕虫用器具を見ると、不快感を覚える利用者が多いためである。特に、利用者は、捕虫用器具に付着した虫類を視認してしまうと、多大なる不快感を覚える。また、捕虫用器具に虫類が付着していなくても、捕虫用器具を見るだけで不快感を覚える者もいる。
【０００３】
特許文献１には、捕虫シート４を上面に載せる矩形状のトレー６の長手方向の側部からホルダー５を延ばし、長尺の誘虫ランプ１を内在させる直方体状の本体カバー３の長手方向の側面の開口部にホルダー５を取り付け、本体カバー３の底面に対しトレー６を対面させて位置付ける捕虫器の発明が開示されている。特許文献１によれば、この捕虫器では、捕虫シートの交換時期の遅れた場合又捕虫シートの交換時にも、一旦捕虫シートにより捕獲した飛翔昆虫を捕虫器外部に落下させることがない、とされる。
【先行技術文献】
【特許文献】
【０００４】
【特許文献１】特開２００９−２４７３４６号公報
【発明の概要】
【発明が解決しようとする課題】
【０００５】
特許文献１に記載の捕虫器では、誘虫ランプ１を内在させる本体カバー３の構造が、トレー６を取り付けるための独自のものとなっている。このため、この捕虫器を設置するには、電源を確保して給電用の配線を行い、既設の蛍光灯等の光源との位置関係を熟考する必要がある。
【０００６】
本発明は、上記の点を鑑みてなされたものであり、さまざまな既設の光源に対して適用でき虫類を捕獲できる捕虫用器具を提供することを目的とする。
【課題を解決するための手段】
【０００７】
本発明の捕虫用器具は、取付対象物に固定される長尺の取付部と、前記取付部の長手方向に並ぶ複数のアームと、前記取付部に対向する対向面を有し、各前記アームから延びるトレイと、前記対向面に配置された捕虫シートを保持する保持部と、前記長手方向に直交する平面内で前記アームが回動自在となるよう、前記アームと前記取付部とを連結する第１の連結部と、前記第１の連結部に設けられ、前記アームを回動させる外力が所定値以下である場合に前記アームの回動をロックするロック部と、を備える。
【発明の効果】
【０００８】
本発明によれば、アームを動かすことで、トレイを取付部に対して旋回させて所望の位置に停止させることができる。このため、捕虫用器具の取り付け方の自由度は高くなる。また、捕虫シートを光源に対面する位置に配置でき、誘虫ランプを用いずに、光源に集まる虫類を捕虫シートに捕捉することができる。したがって、さまざまな既設の光源に対して適用でき虫類を捕獲できる捕虫用器具を提供できる。
【図面の簡単な説明】
【０００９】
【図１】第一の実施の形態における、蛍光灯器具に取り付けられた捕虫用器具の斜視図である。
【図２】第一の実施の形態における、天井に取り付けられた捕虫用器具の斜視図である。
【図３】第一の実施の形態における、図１とは異なる方向から見た、蛍光灯器具に取り付けられた捕虫用器具の斜視図である。
【図４】第一の実施の形態における、フックに掲示物を吊り下げた状態の捕虫用器具の斜視図である。
【図５】第一の実施の形態における、第１の連結部及びロック部を示す斜視図である。
【図６】第一の実施の形態における、アームが回転する様子を示す第１の連結部及びロック部の斜視図である。
【図７】第一の実施の形態における、トレイの長手方向から見た捕虫用器具の側面図である。
【図８】第二の実施の形態における、捕虫用器具の斜視図である。
【図９】第三の実施の形態における、捕虫用器具の平面図である。
【図１０】第四の実施の形態における、蛍光灯器具に取り付けられた捕虫用器具の斜視図である。
【図１１】第四の実施の形態における、第１の連結部及びロック部を示す斜視図である。
【図１２】第五の実施の形態における、捕虫用器具の分解斜視図である。
【図１３】第五の実施の形態における、図１２とは異なる方向から見た、底面側から見た捕虫用器具の分解斜視図である。
【図１４】第五の実施の形態における、捕虫用器具の平面図である。
【発明を実施するための形態】
【００１０】
以下、図面を参照し説明する。ここで、各実施の形態の説明において、先行する実施の形態と同じ部分には同一の符号を付し、説明を省略する。また、各実施の形態において、構成の一部のみが説明されている場合、構成の他の部分は、先行する実施の形態と同様とする。そして、各実施の形態で具体的に説明されている部分を、他の実施の形態と適宜組み合わせることができるのは、言うまでもない。
【００１１】
実施の一形態を、図１ないし図７に基づいて説明する。説明の便宜上、本実施の形態を第一の実施の形態と呼ぶ。図１は、蛍光灯器具３０１に取り付けられた捕虫用器具１０１の斜視図である。捕虫用器具１０１は、天井３０２に蛍光灯器具３０１が設置された空間ＲＭで、この蛍光灯器具３０１の近傍に配置される。蝿、蚊、羽虫及び蛾等の虫類（図示せず）は、この蛍光灯器具３０１に取り付けられた光源としての蛍光灯３０３に集まりやすい。ここで、捕虫用器具１０１には、捕虫シート１０２を配置できる。捕虫シート１０２の表面には、粘着性を有する物質が塗布されている。捕虫シート１０２を蛍光灯３０３に対面させると、捕虫シート１０２には、点灯している蛍光灯３０３に集まって蛍光灯器具３０１の周囲を飛翔している虫類が付着する。虫類は、捕虫シート１０２に付着すると、もはや飛翔できない。
【００１２】
蛍光灯器具３０１について説明する。蛍光灯器具３０１は、細長い直方体形状の筐体３０４を備える。筐体３０４の下面で、この筐体３０４の両短辺のそれぞれの近傍には、ソケット（図示せず）を収納したソケットプレート３０５が突出する。蛍光灯３０３は、その両端から突出する端子（図示せず）を各ソケットに連結され、蛍光灯器具３０１の下面に位置付けられてソケットプレート３０５に保持される。なお、筐体３０４の下面でソケットプレート３０５に保持された蛍光灯３０３の上方にあたる箇所には、断面略半円状の反射板３０６（図４参照）が設けられる。また、筐体３０４の内部には、回路等の、蛍光灯３０３を点灯させるための各種の部品が収納される。このような蛍光灯器具３０１は、筐体３０４の上面を天井３０２に接しさせて、空間ＲＭの天井３０２に設置される。また、蛍光灯３０３に給電を行う配線（図示せず）は、空間ＲＭにあらわれる天井３０２の表面やこの天井３０２の裏面に這わせて設けられる。なお、蛍光灯器具３０１は、トラフ型のものであっても、笠型のものであってもよい。
【００１３】
このような蛍光灯器具３０１に対して、捕虫用器具１０１は設置される。捕虫用器具１０１は、取付部１０３と、アーム１０４と、トレイ１０５と、フック１０６と、ブラケット１０７とを備える。捕虫用器具１０１を蛍光灯器具３０１に取り付けるとき、取付部１０３を蛍光灯３０３の近傍に位置付け、トレイ１０５を取付部１０３よりも下方に位置づけて、トレイ１０５の対向面１１３（後述）に配置された捕虫シート１０２を蛍光灯３０３に対向させる。以下、各部について説明する。
【００１４】
取付部１０３は、長尺の基部１０８と、基部１０８の一方の面から直交して突出する第１の突部１０９とにより構成される。第１の突部１０９は、基部１０８の短手方向に延びる板状をなし、基部１０８の長手方向に複数並ぶ。基部１０８は、第１の突部１０９を突出させない他方の面を蛍光灯器具３０１の筐体３０４の側面に接しさせて、蛍光灯器具３０１に取り付けられる。一例として、基部１０８と筐体３０４とは、接着剤や粘着テープを用いて固定される。別の一例として、基部１０８において第１の突部１０９に挟まれる箇所に設けられるネジ孔１１０にネジ（図示せず）を挿通し、このネジを蛍光灯器具３０１の筐体３０４に嵌め込むことにより、基部１０８と筐体３０４とは固定される。
【００１５】
アーム１０４は、長尺の板状をなす。アーム１０４の中央部分は、幅方向に狭められている。アーム１０４の一方の端部（第２の端部１１１）側には、取付部１０３の第１の突部１０９が位置する。アーム１０４の他方の端部（第１の端部１１２）側には、トレイ１０５が位置する。捕虫用器具１０１は、アーム１０４を第１の突部１０９に対応させて複数有する。これら複数のアーム１０４は、取付部１０３の長手方向に並ぶ。
【００１６】
トレイ１０５は、基部１０８やアーム１０４よりも幅広の長尺の板状をなす。トレイ１０５は、それ自身の長手方向が取付部１０３の長手方向に一致する向きに向けられる。そして、トレイ１０５の一方の面（対向面１１３）は、取付部１０３に向けられる。この対向面１１３には、捕虫シート１０２が配置される。
【００１７】
トレイ１０５は、曲面部１１４を形成する。曲面部１１４は、トレイ１０５の長手方向から見たときに円弧状に見える。曲面部１１４は、取付部１０３から離反する方向に突出する。これにより、対向面１１３は、凹状になっている。トレイ１０５の長手方向から見た曲面部１１４の両端からは、平坦部１１４ａが延びる。トレイ１０５の長手方向から見た各平坦部１１４ａのそれぞれの端からは、縁部１１４ｂが、平坦部１１４ａに直交して対向面１１３の方向に延びる。また、平坦部１１４ａからは、ブラケット１０７を取り付けるための爪部１１４ｃが、対向面１１３側に突出する。
【００１８】
トレイ１０５には、フック取付孔１１５が設けられる。フック取付孔１１５は、トレイ１０５の幅方向の中央で、両短辺のそれぞれの近傍に設けられる。また、トレイ１０５における対向面１１３とは反対側の面には、意匠面１２１（図３参照）が形成される。意匠面１２１は、トレイ１０５の長手方向に延びる複数の長突起１２１ａにより形成される。
【００１９】
フック１０６は、フック取付孔１１５に取り付けられる。フック１０６は、取付部１０３から離反する方向にトレイ１０５から突出する。
【００２０】
ブラケット１０７は、矩形の枠部１１６を有する。枠部１１６は、トレイ１０５の幅方向に掛け渡される。平坦部１１４ａに接する枠部１１６の一対の辺のそれぞれには、爪受孔１１７が設けられる。爪受孔１１７には、爪部１１４ｃが係合する。また、枠部１１６の残りの辺の中央からは、第２の突部１１８が突出する。第２の突部１１８は、第１の突部１０９と平行な板状をなす。捕虫用器具１０１は、このようなブラケット１０７をアーム１０４に対応させて複数有する。
【００２１】
上記のような取付部１０３、アーム１０４、トレイ１０５、フック１０６、ブラケット１０７は、一例として、熱可塑性樹脂を射出成形して形成される。
【００２２】
図２は、天井３０２に取り付けられた捕虫用器具１０１の斜視図である。捕虫用器具１０１は、第１の連結部１２０を備える。第１の連結部１２０は、取付部１０３の第１の突部１０９とアーム１０４における第２の端部１１１とを、矢印Ｒ１の方向に回動自在に連結する。これにより、アーム１０４は、取付部１０３の長手方向に直交する平面内で回動自在となる。このため、捕虫用器具１０１は、図２に示すように、取付部１０３を天井３０２に接しさせて蛍光灯器具３０１の近傍に配置することができる。この場合であっても、トレイ１０５を取付部１０３よりも下方に位置づけて、トレイ１０５の対向面１１３に配置された捕虫シート１０２を蛍光灯３０３に対向させることになる。
【００２３】
図３は、図１とは異なる方向から見た、蛍光灯器具３０１に取り付けられた捕虫用器具１０１の斜視図である。なお、図３では、蛍光灯器具３０１について、その一側面のみを一点鎖線で示している。空間ＲＭに滞在し蛍光灯３０３（図１及び図２参照）からの光を利用する者（以下、「利用者」と呼ぶことがある）は、蛍光灯器具３０１や天井３０２に取り付けられた捕虫用器具１０１を下方から見ることになる。このとき、利用者は、トレイ１０５が存在することによって、捕虫シート１０２（図１及び図２参照）、及び、この捕虫シート１０２に捕捉された虫類（図示せず）を視認することがなく、不快感を覚えることはない。そして、利用者は、意匠面１２１と、トレイ１０５から突出するフック１０６とを視認できる。意匠面１２１と曲面部１１４とは、利用者に対して、意匠的に優しい印象を与える。
【００２４】
図４は、フック１０６に掲示物を吊り下げた状態の捕虫用器具１０１の斜視図である。捕虫用器具１０１が蛍光灯器具３０１や天井３０２に取り付けられると、フック１０６は、フック１０６から下方に突出する。ここで、このフック１０６に糸３５１を取り付け、糸３５１の先端に掲示物３５２を取り付けることもできる。掲示物３５２には、空間ＲＭの性質に応じた様々なものを用いることができる。一例として、掲示物３５２は、非常口の案内表示、美術館における順路の案内表示、会社における部署の表示、店舗における販売物の表示である。
【００２５】
図５は、第１の連結部１２０及びロック部１２３を示す斜視図である。ところで、捕虫用器具１０１では、第１の連結部１２０が、取付部１０３の第１の突部１０９とアーム１０４における第２の端部１１１とを、回動自在に連結している。しかしながら、アーム１０４や取付部１０３に加えられるアーム１０４を回動させるための外力が所定値以下である場合には、アーム１０４は回動できない。この点について、図５及び図６に基づいて説明する。
【００２６】
第１の連結部１２０は、第１の回動軸１２４と、第１のストッパ１２５と、第２のストッパ１２６とを備える。第１の回動軸１２４は、第１の突部１０９に形成された貫通孔（図示せず）と第２の端部１１１に形成された貫通孔（図示せず）との両方に挿通される。第１のストッパ１２５及び第２のストッパ１２６は、第１の回動軸１２４の両端に位置する。
【００２７】
このような第１の連結部１２０は、一例として、図５に示すような第１のノブ体１２７と第２のノブ体１２８とを組み付けて構成される。ここで、第１のノブ体１２７は、第１のストッパ１２５となる第１の握り部１２９を有し、この第１の握り部１２９の一方の面から大径円筒部１３０（後述）に入り込む小径円筒部１３１を突出させたものである。また、第２のノブ体１２８は、第２のストッパ１２６となる第２の握り部１３２を有し、この第２の握り部１３２の一方の面から大径円筒部１３０を突出させたものである。
【００２８】
第１の連結部１２０は、第１の突部１０９に形成された貫通孔（図示せず）と第２の端部１１１に形成された貫通孔（図示せず）との両方に第２のノブ体１２８の大径円筒部１３０を挿通し、大径円筒部１３０に第１のノブ体１２７の小径円筒部１３１を挿入し、長ボルト１３３を第１のストッパ１２５の他方の面から小径円筒部１３１に挿通し、第２の握り部１３２の他方の面から長ボルト１３３の先端にナット１３４を螺合して構成される。
【００２９】
ここで、第１の回動軸１２４の外周に巻き付くように、スプリング１３５が配置される。スプリング１３５は、第１のノブ体１２７と第２のノブ体１２８とを組み付けるときに第１の突部１０９から突出した大径円筒部１３０の外周に位置付けられる。また、第１の突部１０９には、第１のフェイスギア１３６が設けられる。また、第２の端部１１１において第１の突部１０９と接する箇所は、第２のフェイスギア１３７が設けられる。スプリング１３５は、第１のストッパ１２５を第１の突部１０９から離反させる方向に押す。これにより、第２のストッパ１２６は第２の端部１１１を第１の突部１０９に近づける方向に押し、第１のフェイスギア１３６と第２のフェイスギア１３７は噛み合う。この状態では、アーム１０４や取付部１０３に加えられるアーム１０４を回動させるための僅かな外力を加えても、アーム１０４は回転しない。ここに、スプリング１３５と第１のフェイスギア１３６と第２のフェイスギア１３７とは、ロック部１２３を構成する。
【００３０】
なお、磨耗防止のために、第１の連結部１２０と第２の握り部１３２との間、スプリング１３５と第１の突部１０９との間、及び、スプリング１３５と第１の握り部１２９との間のそれぞれ、ワッシャ（図示せず）を挟み込んでも良い。
【００３１】
図６は、アームが回転する様子を示す第１の連結部１２０及びロック部１２３の斜視図である。ここで、アーム１０４や取付部１０３に、所定値以上の大きさのアーム１０４を回動させるための外力が加えられると、第２のフェイスギア１３７は第１のフェイスギア１３６に対して滑りを生じ、第２の端部１１１が第２のストッパ１２６を第１の突部１０９から離反する方向に押す。これにより、第１のストッパ１２５がスプリング１３５を縮ませる。そして、第２のフェイスギア１３７が第１のフェイスギア１３６の一の歯に対応する回転角だけ回転すると、スプリング１３５が第１のストッパ１２５を第１の突部１０９から離反させる方向に押す力によって第２のストッパ１２６が第２の端部１１１を第１の突部１０９に近づけ、第１のフェイスギア１３６と第２のフェイスギア１３７とが再び噛み合う。このため、捕虫用器具１０１では、簡易な操作で、取付部１０３とアーム１０４との間の角度を所望の大きさに設定し、その角度を維持することができる。
【００３２】
図７は、トレイ１０５の長手方向から見た捕虫用器具１０１の側面図である。図１及び図７を参照する。捕虫用器具１０１は、第２の連結部１３８を備える。第２の連結部１３８は、ブラケット１０７の第２の突部１１８とアーム１０４における第１の端部１１２とを、矢印Ｒ２の方向に回動自在に連結する。第２の連結部１３８の構成は、第１の連結部１２０の構成と同じである。なお、第２の連結部１３８によるアーム１０４やブラケット１０７、トレイ１０５の回動中心は、第１の回動軸１２４と平行な第２の回動軸１２４ａである。
【００３３】
第２の連結部１３８には、第１の連結部１２０と同様にスプリングと二つのフェイスギアとを備えるロック部１２３も設けられる。このため、捕虫用器具１０１では、簡易な操作で、アーム１０４とトレイ１０５の間の角度を所望の大きさに設定し、その角度を維持することができる。
【００３４】
捕虫用器具１０１において、ブラケット１０７は、対向面１１３に配置された捕虫シート１０２を保持する保持部１３９としても機能する。詳細に述べると、捕虫用器具１０１では、トレイ１０５とブラケット１０７とによって、捕虫シート１０２を受け入れる開口１４０が形成される。また、ブラケット１０７において平坦部１１４ａに接する辺は、枠部１１６よりも下方に突出して段部１４１を形成している。また、枠部１１６の下面には、平坦部１１４ａと平行に延びる垂下部１４２が垂下している。
【００３５】
捕虫シート１０２は、トレイ１０５の対向面１１３に沿うように撓ませた状態で開口１４０から導入される。捕虫シート１０２は、トレイ１０５の長手方向にスライドされて、トレイ１０５とブラケット１０７との間に位置付けられる。このとき、段部１４１は、捕虫シート１０２の端部を案内する。また、捕虫シート１０２がそれ自身のコシによって戻ろうとすると、垂下部１４２が捕虫シート１０２の表面に接触する。このようにして、捕虫シート１０２は、トレイ１０５とブラケット１０７とに挟まれて動かなくなる。このため、トレイ１０５が水平面に対してどのような角度に位置付けられても、捕虫シート１０２がトレイ１０５から滑り落ちることはない。
【００３６】
このように構成される捕虫用器具１０１を、天井３０２に蛍光灯器具３０１が設置された空間ＲＭで、取付部１０３を天井３０２や筐体３０４に取り付けてこの蛍光灯器具３０１の近傍に配置すると、虫類が、トレイ１０５の対向面１１３に配置された捕虫シート１０２に付着して捕捉される。空間ＲＭに滞在し蛍光灯３０３からの光を利用する利用者は、この捕捉された虫類を視認することはなく、捕捉された虫類を見て不快感を覚えるようなことはない。また、捕虫用器具１０１では、取付部１０３とアーム１０４との角度、及び、アーム１０４とトレイ１０５との角度を任意に設定して固定させることができるため、捕虫用器具１０１をどのような取付対象物に対しても取り付けることができる。例えば、捕虫用器具１０１を壁面に取り付けることもできる。また、捕虫用器具１０１を設置するときに新たな給電を必要としない。このように、本実施の形態の捕虫用器具１０１は、さまざまな既設の光源に対して適用でき、効果的に虫類を捕獲できる。
【００３７】
図８に基づいて、別の実施の形態を述べる。説明の便宜上、本実施の形態を第二の実施の形態と呼ぶ。図８は、捕虫用器具１０１の斜視図である。上記に述べた第一の実施の形態とは別に、図８に示すように、アーム１０４とブラケット１０７とが一体形成されていてもよい。この場合、アーム１０４とブラケット１０７とトレイ１０５とは、一体で動いて、取付部１０３に対して回動自在となる。
【００３８】
図９に基づいて、さらに別の実施の形態を述べる。説明の便宜上、本実施の形態を第三の実施の形態と呼ぶ。図９は、捕虫用器具１０１の平面図である。また、図９に示すように、アーム１０４の第１の端部１１２に連結される第２の突部１１８（図１、図７等参照）を、トレイ１０５の対向面１１３から突出させて設けてもよい。
【００３９】
また、図９に示すように、捕虫シート１０２をトレイ１０５の長辺側から短手方向に導入できるように捕虫シート１０２の長辺から幅方向に切れ込み１４３を入れてもよい。
【００４０】
また、図９に示すように、トレイ１０５の対向面１１３に配置された捕虫シート１０２の縁領域を、対向面１１３から突出する保持爪部１４４に引っ掛けるようにしてもよい。この場合、保持爪部１４４が、保持部１３９として機能する。
【００４１】
図１０及び図１１に基づいて、さらに別の実施の形態を述べる。説明の便宜上、本実施の形態を第四の実施の形態と呼ぶ。図１０は、蛍光灯器具３０１に取り付けられた捕虫用器具の斜視図である。説明のため、図１０では、蛍光灯器具３０１を一点鎖線で示している。
【００４２】
本実施の形態の捕虫用器具１０１は、蛍光灯器具３０１の筐体３０４の下面に取り付けられる場合に、特に有用である。詳細に述べると、本実施の形態では、取付部１０３を構成する基部１０８が、ソケットプレート３０５に保持されている蛍光灯３０３に対して平行をなすように、筐体３０４の下面に取り付けられる。このとき、基部１０８の一方の長辺（第１の長辺１０８ａ）は、筐体３０４の下面の一方の長辺３０４ａに沿う。基部１０８の他方の長辺（第２の長辺１０８ｂ）は、第１の長辺１０８ａよりも蛍光灯３０３の近くに位置する。
【００４３】
本実施の形態では、取付部１０３は、二つの規制部１０８ｃを含む。規制部１０８ｃは、いずれも、板状をなす。規制部１０８ｃは、いずれも、基部１０８の第１の長辺１０８ａから基部１０８に直交する向きに延びている。そして、第１の突部１０９は、規制部１０８ｃから、第２の長辺１０８ｂとは反対側に延びている。
【００４４】
図１１は、第１の連結部１２０及びロック部１２３を示す斜視図である。本実施の形態では、規制部１０８ｃから離反させる方向Ｒ３にアーム１０４を回動させるための所定値以上の大きさの外力がアーム１０４に加えられた場合、アーム１０４は、何によっても阻止されない。これに対し、規制部１０８ｃに近づける方向Ｒ４にアーム１０４を回動させるための所定値以上の大きさの外力がアーム１０４に加えられた場合、アーム１０４は、規制部１０８ｃにより阻止される。つまり、本実施の形態では、アーム１０４が基部１０８に近づくことはない。
【００４５】
再び図１０を参照する。基部１０８の第１の長辺１０８ａを筐体３０４の長辺３０４ａに沿わせて捕虫用器具１０１を筐体３０４の下面に取り付けた場合、アーム１０４は規制部１０８ｃに阻止される。つまり、本実施の形態の捕虫用器具１０１では、アーム１０４が蛍光灯３０３に接触する事態は生じず、安全である。
【００４６】
図１２ないし図１４に基づいて、さらに別の実施の形態を述べる。説明の便宜上、本実施の形態を第五の実施の形態と呼ぶ。図１２は、捕虫用器具の分解斜視図である。図１３は、図１２とは異なる方向から見た、捕虫用器具の分解斜視図である。説明のため、図１２では、第２の連結部１３８に含まれるスプリングやスプリング、ストッパ等を省略している。
【００４７】
本実施の形態のトレイ１０５には、三つの第１の採光孔１１９（孔部）が開口する。三つの第１の採光孔１１９は、いずれも長円形状をなし、二つのフック取付孔１１５の間に列状に並んでいる。第１の採光孔１１９には、蓋材１１９ａが着脱自在に取り付けられる。蓋材１１９ａとは、第１の採光孔１１９と同じ形状を有する。蓋材１１９ａは、爪部１１９ｂを有する。爪部１１９ｂは、第１の採光孔１１９の縁部に引っ掛かって、第１の採光孔１１９を塞ぐ。
【００４８】
さらに、本実施の形態のトレイ１０５には、第２の採光孔１１９ｄ（孔部）が開口する。第２の採光孔１１９ｄは、各フック取付孔１１５からトレイ１０５の幅方向に複数並んでいる。
【００４９】
図１４は、捕虫用器具の平面図である。説明のため、図１４では、アーム１０４、アームより上方の各部、並びに、第２の連結部１３８に含まれるスプリングやスプリング、ストッパ等を省略している。
【００５０】
本実施の形態において、捕虫シート１０２には、第１の採光孔１１９に対応させて設けられた開口１０２ａが設けられる。この捕虫シート１０２は、トレイ１０５の対向面１１３に沿うように撓ませた状態で開口１４０（図７参照）から導入され、トレイ１０５の長手方向にスライドされ、トレイ１０５とブラケット１０７との間に位置付けられる。その結果、開口１０２ａは、第１の採光孔１１９に対面する。換言すると、第１の採光孔１１９が捕虫シート１０２により覆い隠されない。また、捕虫シート１０２は、トレイ１０５とブラケット１０７との間に位置付けられた場合、第２の採光孔１１９ｄを覆い隠さない。
【００５１】
本実施の形態の捕虫用器具１０１が蛍光灯器具３０１や天井３０２に設置されると、蛍光灯３０３の光の一部は、捕虫シート１０２の開口１０２ａ及び第１の採光孔１１９を通過する。また、蛍光灯３０３の光の別の一部は、第２の採光孔１１９ｄを通過する。このため、利用者が捕虫用器具１０１に捕捉された虫類を視認することはない。そして、利用者は、空間ＲＭに滞在して、蛍光灯３０３からの光を十分に利用することができる。
【００５２】
さらに、本実施の形態の捕虫用器具１０１では、トレイ１０５の第１の採光孔１１９に対して蓋材１１９ａを着脱できる。このため、利用者は、捕虫用器具１０１から漏れる蛍光灯３０３の光の量を調節することができる。
【符号の説明】
【００５３】
１０１    捕虫用器具
１０２    捕虫シート
１０３    取付部
１０４    アーム
１０５    トレイ
１０６    フック
１０８ｃ  規制部
１１１    第２の端部
１１２    第１の端部
１１３    対向面
１１４    曲面部
１１９    第１の採光孔（孔部）
１１９ｄ  第２の採光孔（孔部）
１２０    第１の連結部
１２３    ロック部
１２４    第１の回動軸
１２４ａ  第２の回動軸
１３８    第２の連結部
１３９    保持部
１４４    保持爪部（保持部）
３０２    天井（取付対象物）
３０４    蛍光灯器具の筐体（取付対象物）
【図１】
2012016345.tif 000003
【図２】
2012016345.tif 000004
【図３】
2012016345.tif 000005
【図４】
2012016345.tif 000006
【図５】
2012016345.tif 000007
【図６】
2012016345.tif 000008
【図７】
2012016345.tif 000009
【図８】
2012016345.tif 000010
【図９】
2012016345.tif 000011
【図１０】
2012016345.tif 000012
【図１１】
2012016345.tif 000013
【図１２】
2012016345.tif 000014
【図１３】
2012016345.tif 000015
【図１４】
2012016345.tif 000016